【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
空気ブロアから送られた空気を曝気槽に送り、該曝気槽内の水を微生物処理する水処理装置であって、
前記空気ブロアと前記曝気槽との間に設けられマイナスイオン発生体が充填されたイオン発生室及び空気活性体が充填された空気活性室を備えて前記空気ブロアから送られた空気が前記イオン発生室及び空気活性室の一方に導入され他方から排出されるイオン発生装置を有することを特徴とする、水処理装置。
【請求項２】
前記マイナスイオン発生体は、トルマリンであることを特徴とする、請求項１記載の水処理装置。
【請求項３】
前記マイナスイオン発生体は、希土類を主成分とする上薬を担体粒子表面に被覆焼成してなる請求項１記載の水処理装置。
【請求項４】
前記空気活性体は、少なくともＮａ、Ｍｇ、Ａｌ、Ｓｉ、Ｓ、Ｋ、Ｃａ、ＴｉおよびＦｅを主成分として酸化物換算で９５重量％以上含有する鉱物微粉１００重量部、リン化チタン（ＴｉＰ）１〜４重量部、酸化マンガン３〜５重量部および磁鉄鉱１〜２重量部を含んでなる上薬を担体粒子表面に被覆焼成してなることを特徴とする、請求項１から３のいずれか１つに記載の水処理装置。
【請求項５】
前記イオン発生室は、その軸が略鉛直方向に設けられた円筒部と、前記円筒部に前記空気を導入する導入部と、前記円筒部から前記空気を排出する排出部とを備え、
前記円筒部は、前記空気が通過可能な隙間を有し前記円筒部を下区画と上区画に上下に仕切る有隙仕切板と、中心軸が前記円筒部の軸と平行になるように前記有隙仕切板に垂設された有隙円筒壁を有し、
前記下区画は、前記導入部に連通し、前記上区画は、前記マイナスイオン発生体を充填し、前記排出部に連通することを特徴とする、請求項１乃至４いずれか１つに記載の水処理装置。
【請求項６】
前記有隙仕切板は、前記有隙円筒壁と一体的に構成され前記有隙円筒壁の上端外周に設けられたフランジ部と、前記有隙円筒壁の底に設けられた底部とで構成されることを特徴とする、請求項５記載の水処理装置。
【請求項７】
空気を曝気槽に送風し、曝気槽内の水を微生物処理する水処理方法であって、前記空気は、マイナスイオン発生発生体が充填されたイオン発生室及び空気活性体が充填された活性室を通過して曝気槽に送風されることを特徴とする、水処理方法。
【請求項８】
空気ブロアから送られた空気を曝気槽に送風して該曝気槽内の水を微生物処理する水処理装置において前記空気ブロアと前記曝気槽との間に配置されて使用され、マイナスイオン発生体が充填されたイオン発生室及び空気活性体が充填された空気活性室とを備えて前記空気ブロアから送られた空気が前記イオン発生室及び空気活性室の一方から導入され他方から排出されることを特徴とするイオン発生装置。
【請求項９】
その軸が略鉛直方向に設けられた円筒部と、前記円筒部に前記空気を導入する導入部と、前記円筒部から前記空気を排出する排出部とを備え、
前記円筒部は、前記空気が通過可能な隙間を有し前記円筒部を下区画と上区画に上下に仕切る有隙仕切板と、中心軸が前記円筒部の軸と平行になるように垂設された有隙円筒壁を有し、
前記下区画は、前記導入部に連通し、前記上区画は、前記マイナスイオン発生体を充填し、前記排出部に連通することを特徴とするイオン発生装置。
【手続補正２】
【補正対象書類名】明細書
【補正対象項目名】０００７
【補正方法】変更
【補正の内容】
【０００７】
本発明の水処理装置は、前記空気ブロアから送られた空気を曝気槽に送り、該曝気槽内の水を微生物処理するものである。そして、前記空気ブロアと前記曝気槽との間に設けられマイナスイオン発生体が充填されたイオン発生室及び空気活性体が充填された空気活性室を備えて前記空気ブロアから送られた空気が前記イオン発生室及び空気活性室の一方に導入され他方から排出されるイオン発生装置を有する。


【手続補正３】
【補正対象書類名】明細書
【補正対象項目名】０００９
【補正方法】変更
【補正の内容】
【０００９】
水処理装置の空気ブロアから送風された空気は、イオン発生装置を通過する。イオン発生装置は、マイナスイオン発生体が充填されたイオン発生室及び空気活性体が充填された活性室を備えており、空気ブロアから送られた空気を活性化させると共にその中にマイナスイオンを放出する。ここでマイナスイオンとしては、マイナスの電気を帯びた酸素原子が空気中の微小な水粒子（水蒸気）が結合したものが例示される。また、空気活性体は、空気中に含まれる水粒子を活性化するものであり、特開２０００−２５４６６３号公報に記載されている水活性化部材などを好適に使用することができる。例えば、少なくともＮａ、Ｍｇ、Ａｌ、Ｓｉ、Ｓ、Ｋ、Ｃａ、ＴｉおよびＦｅを主成分として酸化物換算で９５重量％以上含有する鉱物微粉１００重量部、リン化チタン（ＴｉＰ）１〜４重量部、酸化マンガン３〜５重量部および磁鉄鉱１〜２重量部を含んでなる上薬を担体粒子表面に被覆焼成して構成される。このような空気活性体が充填された活性室を空気が通過することによって、空気中に含まれる水粒子が活性化される。すなわち、抗菌、脱臭等の浄化作用が高まった空気となる。このような効果は、水の界面活性作用の増加、水酸化イオンの増加、水のクラスターのダウンサイジング化が生じたことに起因するものと考えられている。
【手続補正４】
【補正対象書類名】明細書
【補正対象項目名】００１１
【補正方法】変更
【補正の内容】
【００１１】
上記構成によれば、水処理装置の曝気槽からの異臭が軽減される。この作用は以下のように推測される。すなわち、空気ブロアからイオン発生装置に送られた空気は、マイナスイオン発生体から発生するマイナスイオンを豊富に蓄える。マイナスイオンは空中の汚染されたプラスイオンと結合し、空気を中和、浄化する。すなわち、空気中のごみ、雑菌などのプラスイオンがマイナスイオンと結合してイオン発生装置内に落ちることによって空気中から取り除かれる。したがって、イオン発生装置から出てきた空気は、埃などのプラスイオンが含まれない自浄能力を有する空気となる。また、空気ブロアから送風された空気は、空気活性体の作用によって、抗菌、脱臭等の浄化作用が高まった空気となる。したがって、この空気を曝気槽に吹き込んで微生物処理を行うことにより、さらに微生物の活性を高めることができる。したがって、空気を槽内に送り込む曝気槽を用いた排水の微生物処理において、微生物の活性を高め、水処理装置から発する異臭などを軽減することができる。よって、マイナスイオンを多量に含み、空気活性体により活性化された空気で曝気することで曝気槽内の微生物が空気中の雑菌などの影響を受けることがなく、微生物の活性が高まり、分解の効率が向上する。


【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
好ましくは、前記イオン発生室は、その軸が略鉛直方向に設けられた円筒部と、前記円筒部に前記空気を導入する導入部と、前記円筒部から前記空気を排出する排出部とを備え、前記円筒部は、前記空気が通過可能な隙間を有し前記円筒部を下区画と上区画に上下に仕切る有隙仕切板と、中心軸が前記円筒部の軸と平行になるように前記有隙仕切板に垂設された有隙円筒壁を有し、前記下区画は、前記導入部に連通し、前記上区画は、前記マイナスイオン発生体を充填し、前記排出部に連通する。


【手続補正１０】
【補正対象書類名】明細書
【補正対象項目名】００２０
【補正方法】変更
【補正の内容】
【００２０】
円筒部は、下側に突出して設けられた有隙円筒壁を有する有隙仕切板によって上区画及び下区画に区画されている。円筒部の上区画にはマイナスイオン発生体が充填されている。有隙円筒壁は、円筒状の壁であって、その軸が円筒部の軸とほぼ平行になるように、さらに好ましくは円筒部と同軸に設けられる。有隙仕切板及び有隙円筒壁は、空気が通過でき、かつ、マイナスイオン発生体が通過できない程度の隙間を備えたものであり、例えば、有孔の板状体、メッシュ状の金網などが好適に用いられる。


【手続補正１１】
【補正対象書類名】明細書
【補正対象項目名】００２４
【補正方法】変更
【補正の内容】
【００２４】
上記構成において、好ましくは、前記有隙仕切板は、前記有隙円筒壁と一体的に構成され前記有隙円筒壁の上端外周に設けられたフランジ部と、前記有隙円筒壁の底に設けられた底部とで構成される。